【手続補正書】
【提出日】平成17年4月27日(2005.4.27)
【手続補正１】
【補正対象書類名】明細書
【補正対象項目名】特許請求の範囲
【補正方法】変更
【補正の内容】
【特許請求の範囲】
【請求項１】
外部記憶装置のバッテリに関する情報を有するバッテリキャパシティ情報を問い合せるコマンドを前記外部記憶装置に送信し、前記バッテリキャパシティ情報を含むレスポンスを受信する通信手段を有し、
前記バッテリの状態を表示手段に表示できるようにしたことを特徴とする撮像装置。
【請求項２】
外部記憶装置のバッテリに関する情報を有するバッテリキャパシティ情報を記憶する記憶手段から前記バッテリキャパシティ情報を読み出すことを要求するリクエストを送信し、前記バッテリキャパシティ情報を含むレスポンスを受信する通信手段を有し、
前記バッテリの状態を表示手段に表示できるようにしたことを特徴とする撮像装置。
【請求項３】
外部記憶装置のバッテリに関する情報を有するバッテリキャパシティ情報を記憶する記憶手段に前記バッテリキャパシティ情報を書き込むことを要求するリクエストを受信する通信手段を有し、
前記バッテリの状態を表示手段に表示できるようにしたことを特徴とする撮像装置。
【請求項４】
前記バッテリの残量を前記表示手段に表示できるようにしたことを特徴とする請求項１〜３の何れか１項に記載の撮像装置。
【請求項５】
前記バッテリの残りの使用可能時間を表示できるようにしたことを特徴とする請求項１〜３の何れか１項に記載の撮像装置。
【請求項６】
前記バッテリの残量と前記バッテリの残りの使用可能時間とを前記表示手段に交互に表示できるようにしたことを特徴とする請求項１〜３の何れか１項に記載の撮像装置。
【請求項７】
前記通信手段は、IEEE Std 1394-1995に準拠するものであることを特徴とする請求項１〜６の何れか１項に記載の撮像装置。
【請求項８】
前記撮像装置はデジタルビデオカメラであり、前記外部記憶装置はハードディスク装置であることを特徴とする請求項１〜７の何れか１項に記載の撮像装置。
【請求項９】
前記外部記憶装置の記憶容量に関する情報を有するストレージキャパシティ情報を要求するコマンドを送信でき、
前記ストレージキャパシティ情報を含むレスポンスを受信でき、
前記外部記憶装置の記憶容量の状態を前記表示手段に表示できるようにしたことを特徴とする請求項１、４、５、６、７及び８の何れか１項に記載の撮像装置。
【請求項１０】
前記外部記憶装置の記憶容量に関する情報を有するストレージキャパシティ情報を記憶する記憶手段から前記ストレージキャパシティ情報を読み出すことを要求するリクエストを送信でき、
前記ストレージキャパシティ情報を含むレスポンスを受信でき、
前記外部記憶装置の記憶容量の状態を前記表示手段に表示できるようにしたことを特徴とする請求項２、４、５、６、７及び８の何れか１項に記載の撮像装置。
【請求項１１】
前記外部記憶装置の記憶容量に関する情報を有するストレージキャパシティ情報を記憶する記憶手段に前記ストレージキャパシティ情報を書き込むことを要求するリクエストを受信でき、
前記外部記憶装置の記憶容量の状態を表示手段に表示できるようにしたことを特徴とする請求項３、４、５、６、７及び８の何れか１項に記載の撮像装置。
【請求項１２】
前記外部記憶装置の残りの記憶容量を前記表示手段に表示できるようにしたことを特徴とする請求項９〜１１の何れか１項に記載の撮像装置。
【請求項１３】
外部記憶装置の記憶容量に関する情報を有するストレージキャパシティ情報を要求するコマンドを送信し、前記ストレージキャパシティ情報を含むレスポンスを受信する通信手段を有し、
前記外部記憶装置の記憶容量の状態を表示手段に表示できるようにしたことを特徴とする撮像装置。
【請求項１４】
外部記憶装置の記憶容量に関する情報を有するストレージキャパシティ情報を記憶する記憶手段から前記ストレージキャパシティ情報を読み出すことを要求するリクエストを送信し、前記ストレージキャパシティ情報を含むレスポンスを受信する通信手段を有し、
前記外部記憶装置の記憶容量の状態を表示手段に表示できるようにしたことを特徴とする撮像装置。
【請求項１５】
外部記憶装置の記憶容量に関する情報を有するストレージキャパシティ情報を記憶する記憶手段に前記ストレージキャパシティ情報を書き込むことを要求するリクエストを受信する通信手段を有し、
前記外部記憶装置の記憶容量の状態を表示手段に表示できるようにしたことを特徴とする撮像装置。
【請求項１６】
前記外部記憶装置の残りの記憶容量を前記表示手段に表示できるようにしたことを特徴とする請求項１３〜１５の何れか１項に記載の撮像装置。
【請求項１７】
前記通信手段は、IEEE Std 1394-1995に準拠するものであることを特徴とする請求項１３〜１６の何れか１項に記載の撮像装置。
【請求項１８】
前記撮像装置はデジタルビデオカメラであり、前記外部記憶装置はハードディスク装置であることを特徴とする請求項１３〜１７の何れか１項に記載の撮像装置。
【手続補正２】
【補正対象書類名】明細書
【補正対象項目名】０００５
【補正方法】変更
【補正の内容】
【０００５】
本発明は、上述の欠点を解決するためになされたものであり、外部記憶装置のバッテリおよび記憶容量の少なくとも何れか一方の状態をユーザに認識させ、撮像映像の記録が突然できなくなることを未然に防止することを目的とする。
【手続補正３】
【補正対象書類名】明細書
【補正対象項目名】０００６
【補正方法】変更
【補正の内容】
【０００６】
【課題を解決するための手段】
本発明に係る撮像装置の一つは、例えば、外部記憶装置のバッテリに関する情報を有するバッテリキャパシティ情報を問い合せるコマンドを前記外部記憶装置に送信し、前記バッテリキャパシティ情報を含むレスポンスを受信する通信手段を有し、前記バッテリの状態を表示手段に表示できるようにしたことを特徴とする。
【手続補正４】
【補正対象書類名】明細書
【補正対象項目名】０００７
【補正方法】変更
【補正の内容】
【０００７】
本発明に係る撮像装置の一つは、例えば、外部記憶装置のバッテリに関する情報を有するバッテリキャパシティ情報を記憶する記憶手段から前記バッテリキャパシティ情報を読み出すことを要求するリクエストを送信し、前記バッテリキャパシティ情報を含むレスポンスを受信する通信手段を有し、前記バッテリの状態を表示手段に表示できるようにしたことを特徴とする。
【手続補正５】
【補正対象書類名】明細書
【補正対象項目名】０００８
【補正方法】変更
【補正の内容】
【０００８】
本発明に係る撮像装置の一つは、例えば、外部記憶装置のバッテリに関する情報を有するバッテリキャパシティ情報を記憶する記憶手段に前記バッテリキャパシティ情報を書き込むことを要求するリクエストを受信する通信手段を有し、前記バッテリの状態を表示手段に表示できるようにしたことを特徴とする。
【手続補正６】
【補正対象書類名】明細書
【補正対象項目名】０００９
【補正方法】変更
【補正の内容】
【０００９】
本発明に係る撮像装置の一つは、例えば、外部記憶装置の記憶容量に関する情報を有するストレージキャパシティ情報を要求するコマンドを送信し、前記ストレージキャパシティ情報を含むレスポンスを受信する通信手段を有し、前記外部記憶装置の記憶容量の状態を表示手段に表示できるようにしたことを特徴とする。
【手続補正７】
【補正対象書類名】明細書
【補正対象項目名】００１０
【補正方法】変更
【補正の内容】
【００１０】
本発明に係る撮像装置の一つは、例えば、外部記憶装置の記憶容量に関する情報を有するストレージキャパシティ情報を記憶する記憶手段から前記ストレージキャパシティ情報を読み出すことを要求するリクエストを送信し、前記ストレージキャパシティ情報を含むレスポンスを受信する通信手段を有し、前記外部記憶装置の記憶容量の状態を表示手段に表示できるようにしたことを特徴とする。
【手続補正８】
【補正対象書類名】明細書
【補正対象項目名】００１１
【補正方法】変更
【補正の内容】
【００１１】
本発明に係る撮像装置の一つは、例えば、外部記憶装置の記憶容量に関する情報を有するストレージキャパシティ情報を記憶する記憶手段に前記ストレージキャパシティ情報を書き込むことを要求するリクエストを受信する通信手段を有し、前記外部記憶装置の記憶容量の状態を表示手段に表示できるようにしたことを特徴とする。
【手続補正９】
【補正対象書類名】明細書
【補正対象項目名】００７６
【補正方法】変更
【補正の内容】
【００７６】
【発明の効果】
本発明によれば、外部記憶装置のバッテリおよび記憶容量の少なくとも何れか一方の状態をユーザに認識させ、撮像映像の記録が突然できなくなることを未然に防止することができる。